(57)【特許請求の範囲】
【請求項１】
片面に信号が記録された信号面を有する光ディスクを複数収納するディスク収納部と、前記ディスク収納部から再生すべき光ディスクを抜き出し、前記抜き出された光ディスクを、当該光ディスクを固定するためのターンテーブルとクランパとの間に挟んだ状態にて再生を行わしめるローディング位置で保持し、前記光ディスクを保持した状態で回転可能な保持機構とを備え、前記信号面から前記信号を読み出して再生する光ディスク再生装置において、
前記保持機構により前記ローディング位置にて保持された光ディスクに対して、当該光ディスクの任意の一面が信号面であるか否かを判別する第１の判別手段と、
前記第１の判別手段により前記一面が信号面ではないと判別された場合に、前記ローディング位置にて前記光ディスクを前記保持機構から外し、前記ディスク収納部に収納する収納手段と、
前記収納手段により前記光ディスクを収納した後、前記保持機構を回転させ、該保持機構に対して該光ディスクが反転した状態で、該保持機構により該光ディスクを保持させる反転保持手段と、
前記反転保持手段により、前記ローディング位置にて前記保持機構に前記光ディスクが保持された際に、前記ローディング位置にて前記光ディスクの他面が信号面であるか否かを判別する第２の判別手段と、
前記第１の判別手段により前記一面が信号面であると判別された場合、あるいは前記第２の判別手段により前記他面が信号面であると判別された場合に、前記信号面から信号を読み出し、前記光ディスクを再生する再生制御手段と、
を備えたことを特徴とする光ディスク再生装置。
【請求項２】
前記光ディスクを再生する際に、当該光ディスクを水平状態として再生することを特徴とする請求項１に記載の光ディスク再生装置。
【発明の詳細な説明】
【０００１】
【発明の属する技術分野】
本発明は、光ディスクを複数収納し、この収納された光ディスクの中から所定の光ディスクを抜き出して再生するディスクチェンジャー付きの光ディスク再生装置に関する。
【０００２】
【従来の技術】
従来、ＣＤ（Compact Disc）、ＤＶＤ（Digital Versatile Disc）等の、音楽や画像等を記録する光ディスク（以下、ディスクＤという）を複数収納し、これらの収納されたディスクの中から特定のディスクを抜き出して再生するディスク再生装置が考案されている。
【０００３】
図６は、従来の光ディスク再生装置がディスクＤを再生する前に行うローディング処理を示すフローチャートであり、図７は、図６に示す従来の光ディスク再生装置によるローディング処理におけるピックアップユニット６Ａの状態を示す図である。ここでは、簡略化のため、ディスクＤと、ピックアップユニット６Ａに備えられるターンテーブル６６及びクランパ７０のみを図示する。
【０００４】
ローディング処理において、従来の光ディスク再生装置に内蔵されたマイクロコンピュータは、まずディスクＤをローディングして（ステップＳ１１）（図７（ｋ），（ｌ）参照）、ピックアップユニット６Ａを９０°回転させて水平にして（ステップＳ１２）（図７（ｍ）参照）、ディスクＤにフォーカスをかける（ステップＳ１３）。ここで、フォーカスサーチを行い（ステップＳ１４）、フォーカスがかかると（ステップＳ１４；ＹＥＳ）、そのままローディング処理を終了する。
以下、ピックアップユニット６Ａの最初の位置を０°位置とし、この０°位置から９０°回転させた位置を９０°位置、１８０°回転させた位置を１８０°位置という。
【０００５】
ステップＳ１４においてフォーカスがかからない場合は（ステップＳ１４；ＮＯ）、ピックアップユニット６Ａを、最初のローディング位置を基準に１８０°回転させ（ステップＳ１５）（図７（ｎ）参照）、１８０°位置でディスクＤをアンローディングする（ステップＳ１６）（図７（ｏ）参照）。次いで、ピックアップユニット６Ａを１８０°回転させ、０°位置まで戻す（ステップＳ１７）（図７（ｐ），（ｑ），（ｒ）参照）。そして、アンローディングしたディスクＤを０°位置で再度ローディングする（ステップＳ１８）（図７（ｓ）参照）。ここで、ローディングされたディスクＤの面は、ステップＳ１１のローディング時と比較して、その表面と裏面とが反転した状態となっている。
【０００６】
続いて、マイクロコンピュータは、ピックアップユニット６Ａを９０°位置まで回転させ、水平にして（ステップＳ１９）（図７（ｔ）参照）、フォーカスサーチを行う（ステップＳ２０）（図７（ｕ）参照）。フォーカスがかかれば（ステップＳ２１；ＹＥＳ）、ローディング処理を終了する。フォーカスがかからない場合は（ステップＳ２１；ＮＯ）、ディスクＤをアンローディングし（ステップＳ２２）、次のディスクＤをローディングして（ステップＳ２３）、ステップＳ１３に戻る。
【０００７】
【発明が解決しようとする課題】
しかしながら、上記のとおり、従来の光ディスク再生装置においては、ディスクＤを再生する前に行うローディング処理において、ピックアップユニット６Ａを９０°位置まで回転させてからディスクＤのフォーカスサーチを行っていたため、再生開始までに余分な時間がかかっていた。
【０００８】
そこで、本発明の課題は、ディスクチェンジャー付きの光ディスク再生装置において、再生開始までにかかる余分な時間を短縮し、ユーザにとっての利便性を向上させることである。
【０００９】
【課題を解決するための手段】
本発明は、上記課題を解決するため、以下のような特徴を備えている。
【００１０】
本発明は、
片面に信号が記録された信号面を有する光ディスクを複数収納するディスク収納部と、前記ディスク収納部から再生すべき光ディスクを抜き出し、前記抜き出された光ディスクを、当該光ディスクを固定するためのターンテーブルとクランパとの間に挟んだ状態にて再生を行わしめるローディング位置で保持し、前記光ディスクを保持した状態で回転可能な保持機構とを備え、前記信号面から前記信号を読み出して再生する光ディスク再生装置において、
前記保持機構により前記ローディング位置にて保持された光ディスクに対して、当該光ディスクの任意の一面が信号面であるか否かを判別する第１の判別手段と、
前記第１の判別手段により前記一面が信号面ではないと判別された場合に、前記ローディング位置にて前記光ディスクを前記保持機構から外し、前記ディスク収納部に収納する収納手段と、
前記収納手段により前記光ディスクを収納した後、前記保持機構を回転させ、該保持機構に対して該光ディスクが反転した状態で、該保持機構により該光ディスクを保持させる反転保持手段と、
前記反転保持手段により、前記ローディング位置にて前記保持機構に前記光ディスクが保持された際に、前記ローディング位置にて前記光ディスクの他面が信号面であるか否かを判別する第２の判別手段と、
前記第１の判別手段により前記一面が信号面であると判別された場合、あるいは前記第２の判別手段により前記他面が信号面であると判別された場合に、前記信号面から信号を読み出し、前記光ディスクを再生する再生制御手段と、
を備えたことを特徴としている。
【００１１】
また、本発明は、前記光ディスクを再生する際に、当該光ディスクを水平状態として再生することを特徴としている。
【００１２】
【発明の実施の形態】
以下、図１〜図５を参照して、本発明に係る光ディスク再生装置１の実施の形態について詳細に説明する。なお、従来の光ディスク再生装置と同一の構成部分には同一の符号を付すこととする。
【００１３】
まず、構成を説明する。
図１は、本発明の一実施の形態による光ディスク再生装置１の全体構成を示す概略図である。図１に示すように、光ディスク再生装置１は、前面の操作パネル２には、操作部３、表示部４、及びディスク交換扉５を備え、本体内部には、例えば、最大４００枚の光ディスク（以下、ディスクＤという）の収納が可能なロータリートレイ６１（図２参照）を備える。なお、ディスクＤは、音楽や画像の信号が片面のみに記録されている（以下、信号面という）。
【００１４】
操作部３は、ディスク交換扉５の開閉を操作するオープンキー及びクローズキー、あるいはディスクＤの再生や停止等を操作する再生キー、停止キー、検索キー、数値キー等の各種操作キー群を備え、押下されたキーの押下信号をマイクロコンピュータ１０（図３参照）へ出力する。
【００１５】
表示部４は、ＬＣＤ等により構成され、マイクロコンピュータ１０から出力される各種表示データを表示する。例えば、ロータリートレイ６１の回転動作の動作モード（回転移動中、ディスク検索中等）、ディスク交換扉５の開閉状態、再生時間の表示、ディスクＤの有無表示等を行う。
【００１６】
ディスク交換扉５は、前方（外方）に倒れる前倒し式扉、あるいは左右に引き違い式に開閉される引き違い式扉等の開閉自在の扉であり、扉を開いた状態で本体前面の一部が開口して内部のロータリートレイ６１が露出するようになっている。ディスク交換扉５を開放した状態でロータリートレイ６１に対するディスクＤの交換作業を行うことができる。このディスク交換扉５は扉開閉モータ１２（図３参照）によって駆動されるものであり、扉開閉モータ１２はマイクロコンピュータ１０から供給される開閉制御信号に応じて動作する。
【００１７】
図２は、光ディスク再生装置１に内設されるディスク収納部６の概略構成を示す、ディスク収納部６の上面図である。図２に示すように、ディスク収納部６は、ロータリートレイ６１、ディスクセンサ６３、ロータリートレイモータ６４、ディスクアーム６５が基板６２上に配設されて構成される。また、ロータリートレイ６１の内周内側のリング状の中空部はディスクＤの再生を行う再生位置であり、ピックアップユニット６Ａが設けられている。
【００１８】
ディスク収納部６の各構成部は、図３に示すマイクロコンピュータ１０、またはこれらを駆動制御する各ドライバ１２，１４，１５に接続される。また、図面下側の正面側にはディスク交換扉５が設けられ、このディスク交換扉５を開閉することにより、ロータリートレイ６１内に収納されたディスクＤを入れ替えることができる。
【００１９】
図２に示すように、ロータリートレイ６１は、中心から動径方向に伸びる複数の溝、すなわちストッカ６１Ａの形成された回転盤上に、この溝に合わせてディスクＤを立脚させることによってディスクＤを保持して収納するものであり、基板３２中央部に装着される。
【００２０】
ロータリートレイ６１は、ロータリートレイモータ６４による動力により、回転動作を行う。ロータリートレイモータ６４は、ロータリートレイ制御モータドライバ１１（図３参照）から出力される駆動制御信号に応じてロータリートレイ６１を回転駆動し、ロータリートレイ６１上の各ストッカ６１Ａを正確な搬送位置に搬送する。
【００２１】
ディスクセンサ６３は、フォトカプラによって構成され、ロータリートレイ６１の各ストッカ６１Ａに載置されたディスクＤの有無を検出する。
【００２２】
ロータリートレイモータ６４は、ロータリートレイ制御モータドライバ１１（図３参照）から出力される駆動制御信号に応じてロータリートレイ６１を回転駆動し、ロータリートレイ６１上の各ストッカ６１Ａを正確な搬送位置に搬送する。
【００２３】
ディスクアーム６５は、ディスクアーム制御モータドライバ１４（図３参照）から出力される制御信号に応じて、選択されたディスクＤをロータリートレイ６１から１枚抜き出し、このディスクＤを再生位置にセットする。また、再生動作が終了すると、再びロータリートレイ６１の元のストッカ６１Ａに収納する。
なお、ディスクアーム６５は、収納手段としての機能を有する。
【００２４】
ピックアップユニット６Ａは、ターンテーブル６６、ターンテーブル６６を回転させるモータ６７、ターンテーブル６６の回転軸に対して垂直な方向に移動可能な光ピックアップ６８、ターンテーブル６６の回転軸に対して垂直な方向に光ピックアップ６８を移動させる光ピックアップ移動機構６９、ターンテーブル６６に対して接離移動自在なクランパ７０、ターンテーブル６６に対してクランパ７０を接離させる接離機構（図示省略）等が備え、ターンテーブル６６とクランパ７０の間にクランプされたディスクＤに記録された符号かデジタルデータを読み取り、ＤＳＰ１５（図３参照）に出力する。
なお、ピックアップユニット６Ａは、反転保持手段としての機能を有する。
【００２５】
ターンテーブル６６の回転軸方向が略水平かつロータリートレイ６１の回転軸方向と略垂直になるように、ピックアップユニット６Ａが設けられている。また、光ピックアップ６８は、ディスクＤの信号面に記録された信号を読み取るものであり、ターンテーブル６６の回転軸方向と並行な方向を向いている。そして、光ピックアップ６８は、光ピックアップ移動機構６９によりターンテーブル６６の回転半径方向に移動させられる。さらにディスクＤが回転している際に、光ピックアップ６８がピックアップ移動機構６９によってディスクＤの半径方向に移動させられ、光ピックアップ６８がディスクＤの信号面をフォーカスして、光ピックアップ６８がディスクＤの信号を読み取る。
【００２６】
図３は、光ディスク再生装置１の内部回路を示す概略ブロック図である。図３に示すように、光ディスク再生装置１は、マイクロコンピュータ１０、操作部３、表示部４、ディスクセンサ６３、ロータリートレイモータ６４及びこれを駆動制御するロータリートレイ制御モータドライバ１１、扉開閉モータ１２及びこれを駆動制御する扉開閉モータドライバ１３、ディスクアーム６５及びこれを駆動制御するディスクアーム制御モータドライバ１４、ディスクＤの再生系であるＤＳＰ１５及びピックアップユニット６Ａにより構成される。
【００２７】
マイクロコンピュータ１０は、操作部３から入力される操作信号に従って、光ディスク再生装置１の各部の動作を制御し、処理結果をマイクロコンピュータ１０内の図示しないＲＡＭに記憶するとともに、表示部４に表示させたりする。マイクロコンピュータ１０の制御対象には、ロータリートレイ６１の回転動作、ディスク交換扉５の開閉動作、ディスクアーム６５のディスク搬送動作、ディスクＤの再生動作、ディスクセンサ６３によるディスクＤの有無検出動作、表示部４の駆動等が含まれる。
【００２８】
また、マイクロコンピュータ１０は、電源投入時、またはディスク交換扉５を閉じた際に、ディスクセンサ６３にディスクＤの有無検出を行わせ、ディスクセンサ６３から入力される各検出信号に基づき、ディスク有無データを取得し、マイクロコンピュータ１０内のＲＡＭに記憶する。
なお、マイクロコンピュータ１０は、第１の判別手段、第２の判別手段、再生制御手段、としての機能を有する。
【００２９】
ロータリートレイ制御モータドライバ１１は、マイクロコンピュータ１０から出力される駆動制御信号に基づいて、ロータリートレイモータ６４を駆動し、ロータリートレイ６１の回転動作を行う。
【００３０】
扉開閉モータドライバ１３は、マイクロコンピュータ１０から出力される開閉制御信号に基づいて、扉開閉モータ１２を駆動し、光ディスク再生装置１の操作パネル２に設けられるディスク交換扉５の開閉を行う。
【００３１】
ディスクアーム制御モータドライバ１４は、マイクロコンピュータ１０から出力された制御信号に基づいてディスクアーム６５を駆動し、ディスクアーム６５によるディスクＤのクランプ、及び再生位置へのディスクＤの搬送といった動作を行う。
【００３２】
ＤＳＰ（Digital Signal Processor）１５は、ピックアップユニット６Ａから出力される符号化デジタルデータを、ディスクＤの記録方式に対応した復号化方式で復号化し、マイクロコンピュータ１０が処理可能なデータ形式に変換してマイクロコンピュータ１０に出力する。
【００３３】
次に、本発明を適用した光ディスク再生装置１の動作を説明する。
図４は、光ディスク再生装置１がディスクＤを再生する前に行うローディング処理を示すフローチャートであり、図５は、図４のローディング処理におけるピックアップユニット６Ａの状態を示す図である。ここでは、簡略化のため、ディスクＤとターンテーブル６６及びクランパ７０のみを図示する。
【００３４】
光ディスク再生装置１のマイクロコンピュータ１０は、操作部３から再生指示を入力されると、この指示入力に従って図６に示すローディング処理を開始する。まず、マイクロコンピュータ１０は、指示入力された再生すべきディスクＤをロータリートレイ６１のストッカ６１Ａより抜き出し、接離機構によりターンテーブル６６及びクランパ７０の間にクランプし、ローディングする（ステップＳ１）（図５（ａ）参照）。このとき、ターンテーブル６６の回転軸は、ロータリートレイ６１の回転軸に対して垂直な状態となっている。このピックアップユニット６Ａの最初の位置を０°位置とする。
【００３５】
次いで、マイクロコンピュータ１０は、ディスクＤのフォーカスサーチを行い（ステップＳ２）（図５（ｂ）参照）、ディスクＤのフォーカスがかかると（ステップＳ３；ＹＥＳ）、そのままローディング処理を終了するが、フォーカスがかからない場合は（ステップＳ３；ＮＯ）、ピックアップユニット６Ａを０°位置に維持し、ディスクＤをアンローディングして元のストッカ６１Ａに戻す（ステップＳ４）（図５（ｃ）参照）。
【００３６】
続いて、マイクロコンピュータ１０は、ピックアップユニット６Ａを１８０°位置まで回転させる（ステップＳ５）（図５（ｄ），（ｅ），（ｆ）参照）。そして、再生すべきディスクＤをロータリートレイ６１のストッカ６１Ａから再度ローディングする（ステップＳ６）（図５（ｇ）参照）。ここで、ディスクＤは、ステップＳ１においてローディングされた向きとは逆の状態で、すなわち表面と裏面とが反転した状態でローディングされる。
【００３７】
ローディング後、ピックアップユニット６Ａを１８０°位置に維持したまま、ディスクＤのフォーカスサーチを行う（ステップＳ７）（図５（ｈ）参照）。ここで、ディスクＤは、ステップＳ２におけるフォーカスサーチ時とは逆向きでピックアップユニット６Ａにローディングされている。ステップＳ２においてフォーカスサーチされたディスクＤの面を表面とすると、ステップＳ７では裏面のフォーカスサーチを行う。
【００３８】
次いで、マイクロコンピュータ１０は、ディスクＤのフォーカスサーチがかかるか否かを判別し（ステップＳ８）、フォーカスサーチがかかると（ステップＳ８；ＹＥＳ）、そのままローディング処理を終了する。一方、フォーカスサーチがかからない場合には（ステップＳ８；ＮＯ）、ピックアップユニット６Ａを１８０°位置に維持してディスクＤをアンローディングし、ロータリートレイ６１の元のストッカ６１Ａに戻す（ステップＳ９）。そして、ピックアップユニット６Ａを０°位置まで戻し、操作部３からの入力指示により設定される次のディスクＤをロータリートレイ６１から抜き出し（ステップＳ１０）、ステップＳ２に戻る。
【００３９】
マイクロコンピュータ１０は、上記のローディング処理を終了すると、図５（ｉ），（ｊ）に示すように、ディスクＤとこれを保持するターンテーブル６６及びクランパ７０を９０°位置まで回転させてディスクＤの再生を開始する。
【００４０】
以上説明したように、上記実施の形態によれば、光ディスク再生装置１のマイクロコンピュータ１０は、操作部３からの指示入力に従い、０°位置でディスクＤをローディングし、ディスクＤの表面をフォーカスサーチし、フォーカスがかからない場合は、０°位置でディスクＤをアンローディングする。その後、ピックアップユニット６Ａを１８０°位置まで回転させてからディスクＤを再度ローディングし、裏面のフォーカスサーチを行う。フォーカスがかかると、ローディング処理を終了してディスクＤの再生を開始し、フォーカスがかからない場合は、ディスクＤを１８０°位置でアンローディングし、ピックアップユニット６Ａを０°位置に戻し、次のディスクＤのローディング処理を行う。
【００４１】
したがって、光ディスク再生装置１によれば、マイクロコンピュータ１０は、ディスクＤをクランプした後、ピックアップユニット６Ａを移動させずに、ディスクＤがクランプされた位置で直ちにフォーカスサーチを行うため、ディスクＤの信号面検出にかかる時間を短縮できる。そのため、ディスクＤのローディング処理にかかる余分な時間を短縮し、ユーザにとっての利便性を向上させることができる。
【００４２】
また、ディスクＤをアンローディングしてからピックアップユニット６Ａを回転させることにより、従来の光ディスク再生装置と比較して、回転中のピックアップユニット６Ａ全体の重量をディスクＤの分だけ軽くすることができ、ピックアップユニット６Ａの回転速度を上げられるため、ローディング処理にかかる時間をさらに短縮できる。
【００４３】
なお、本発明は、本実施の形態に限定されるものではなく、本発明の趣旨を逸脱しない範囲で適宜変更可能である。例えば、上記の実施の形態においては、再生すべきディスクＤの両面のフォーカスサーチに失敗した場合に、操作部３からの入力された設定に従って次のディスクＤをローディングすることとしたが、ローディングするディスクＤの優先順位をマイクロコンピュータ１０内のＲＡＭに予め記憶しておき、この記憶された優先順位に従って次のディスクＤのローディング処理を行うこととしてもよい。
【００４４】
その他、本実施の形態における光ディスク再生装置１の細部構成、及び詳細動作に関しても、本発明の趣旨を逸脱しない範囲で適宜変更可能である。
【００４５】
【発明の効果】
したがって、本発明によれば、ディスクＤの再生開始までにかかる余分な時間を短縮し、ユーザにとっての利便性を向上させることができる。
【図面の簡単な説明】
【図１】本発明の一実施の形態による光ディスク再生装置１の全体構成を示す概略図である。
【図２】光ディスク再生装置１に内設されるディスク収納部６の概略構成を示す、ディスク収納部６の上面図である。
【図３】光ディスク再生装置１の内部回路を示す概略ブロック図である。
【図４】光ディスク再生装置１がディスクＤを再生する前に行うローディング処理を示すフローチャートである。
【図５】図４のローディング処理におけるピックアップユニット６Ａの状態を示す図である。
【図６】従来の光ディスク再生装置がディスクＤを再生する前に行うローディング処理を示すフローチャートである。
【図７】従来の光ディスク再生装置によるローディング処理におけるピックアップユニット６Ａの状態を示す図である。
【符号の説明】
１  光ディスク再生装置
２  操作パネル
３  操作部
４  表示部
５  ディスク交換扉
６  ディスク収納部
６Ａ  ピックアップユニット
１１  ロータリートレイ制御モータドライバ
１２  扉開閉モータ
１３  扉開閉モータドライバ
１４  ディスクアーム制御モータドライバ
１５  ＤＳＰ
６１  ロータリートレイ
６１Ａ  ストッカ
６２  基盤
６３  ディスクセンサ
６４  ロータリートレイモータ
６５  ディスクアーム
６６  ターンテーブル
６７  モータ
６８  光ピックアップ
６９  光ピックアップ移動機構
７０  クランパ
Ｄ  ディスク
【図１】
0004106419.tif 000002
【図２】
0004106419.tif 000003
【図３】
0004106419.tif 000004
【図４】
0004106419.tif 000005
【図５】
0004106419.tif 000006
【図６】
0004106419.tif 000007
【図７】
0004106419.tif 000008